【事件の表示】
　特許第３１０６７８９号「スチームアイロン」の請求項１に係る特許に対する特許異議の申立てについて、次のとおり決定する。
【結　論】
　訂正を認める。
　特許第３１０６７８９号の請求項１に係る特許を維持する。
【理　由】
〔１〕手続の経緯
　特許第３１０６７８９号の請求項１〜３に係る発明は、平成５年８月３１日に特許出願され、平成１２年９月８日にその特許権の設定登録がされ、その後、東芝ホームテクノ株式会社より請求項１に係る発明について特許異議の申立てがされ、取消しの理由が通知され、その指定期間内である平成１３年１０月２９日に訂正請求がされ（その後、この訂正請求は、取り下げられた。）、再度取消しの理由が通知され、その指定期間内である平成１４年３月６日に訂正請求がされたものである。
　
〔２〕訂正の適否についての判断
ア．訂正の内容
　特許権者が求めている訂正の内容は、以下のａ〜ｃのとおりである。
　ａ特許請求の範囲に記載される「…導水体と、前記導水体を前記ベース上に保持する固定板とを具備し、前記固定板を前記気化室内に突設した固定部に取付けたスチームアイロン。」を「…導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたスチームアイロン。」と訂正する。
　ｂ発明の詳細な説明の段落【０００８】中「…導水体と、前記導水体を前記ベース上に保持する固定板とを具備し、前記固定板を前記気化室内に突設した固定部に取付けたものである。」を「…導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたものである。」と訂正する。
　ｃ発明の詳細な説明の段落【００２８】中「…導水体と、前記導水体を前記ベース上に保持する固定板とを具備し、前記固定板を前記気化室内に突設した固定部に取付けたから、導水体を低温に維持して安定したスチームを噴出させることができる。」を「…導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたから、導水体を低温に維持して安定したスチームを噴出させることができる。」と訂正する。
　
イ．訂正の適否、新規事項の有無及び拡張・変更の存否
　上記ａの訂正事項に関連する記載として、願書に添付した明細書（以下、「特許明細書」という。）の段落【００１１】には、「気化室内に設けられた固定部は気化室へ供給された水によって冷却され、」と記載され、段落【００１５】には「２３はこの導水体２１をベース１３上に保持する固定板で、前記気化室１５の底部から気化室蓋１６を貫通して突設した固定部２４にねじ２５により取付けている。」と記載され、【図３】には、「ヒータ１４の内側領域において気化室１５内に固定部２４を設けた」構成が記載されていることから、「導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたスチームアイロン」は、特許明細書に記載されているものと認める。
　そうすると、上記ａの訂正は、特許明細書に記載されていた事項の範囲内
において、スチームアイロンを限定したものであるから、特許請求の範囲の
減縮に該当するものであり、新規事項の追加に該当しない。
　また、上記ｂ、ｃの訂正は、上記特許請求の範囲の減縮に応じて明細書の
発明の詳細な説明の記載を整合する訂正であるから、明りようでない記載の
釈明に該当するものであり、新規事項の追加に該当しない。
　そして、上記いずれの訂正も実質上特許請求の範囲を拡張し、又は変更するものでもない。
　
ウ．むすび
　以上のとおりであるから、上記訂正は、特許法等の一部を改正する法律（平成６年１２月１４日に改正された法律第１１６号）附則第６条によりなお従前の例によるとされる平成５年４月２３日に改正された特許法第１２０条の４第２項及び同条第３項において準用する同法第１２６条第１項ただし書き及び第２項の規定に適合するので、当該訂正を認める。
　
〔３〕特許異議申立てについての判断
ア．本件発明
　上記〔２〕で示したように上記訂正が認められるから、本件の請求項１に係る発明（以下、「本件発明」という。）は、上記訂正に係る訂正明細書の特許請求の範囲の請求項１に記載された事項により特定される次のとおりのものと認める。
「【請求項１】ヒータによって加熱されるベースと、前記ベースに設けられた気化室と、前記気化室の上面側を覆う気化室蓋と、前記ベースの上面側を覆うカバーと、前記カバーの上面側に配設された水タンクと、前記水タンク内の水を前記気化室へ供給する水通路を有した導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたスチームアイロン。」
　
イ．申立ての理由の概要
　特許異議申立人東芝ホ−ムテクノ株式会社は、本件発明は、甲第１号証（特開平２‐８００９９号公報）、甲第２号証（東芝スチームアイロン、ＴＡ−７３１Ｓのサービスガイド、１９８８年８月に発行されたものと推定される。）、甲第３号証（電波新聞、昭和６３年９月２０日発行）に基づき当業者が容易に発明をすることができたものであるから、本件特許は取り消されるべきであると主張する。
　
ウ．甲号各証に記載された発明
　甲第１号証には、スチームアイロンに関して、第１〜３図とともに、以下の事項が記載されている。
（１）「ヒータを有しかつ気化室およびこの気化室に連通したスチーム噴出ロを形成したベースと、このベース上に設けられたハンドルおよび水タンクと、上記ハンドルに設けられた第１および第２のカム面を形成したカムと、上記水タンクの水を上記気化室に供給する滴下ノズル」（特許請求の範囲）
（２）「ヒータ２、気化室３およびこの気化室３に連通したスチーム噴出ロ４を形成したベース１上にハンドル９および水タンク１０を設け、上記ハンドル９には第１および第２のカム面４０、４１を形成したカム３６を設け、上記水タンク１０の水を上記気化室３に供給する滴下ノズル２２を設ける」（第２頁左上欄第１７行〜右上欄第３行）
（３）「１はベースで、このベース１内にヒータ２が埋設されている。また、上記ベース１の上面に気化室３がベース１の前端から後端にわたって形成されているとともに、ベース１の下面に上記気化室３に運通したスチーム噴出ロ４が形成され、かつ、上記気化室３はスチームカバー５で覆われている。上記ベース１上には遮熱板６が設けられ、この遮熱板６の上部に遮熱カバー７が取付けられ、この遮熱カバー７上に、把手部８を一体に形成したハンドル９が取付けられているとともに、このハンドル９の前部にカセット式の水タンク１０が着脱自在に設けられている。」（第２頁左下欄第７〜１９行）
（４）「上記水タンクＴ０の下部には流出孔１８が形成され、この流出孔１８に水タンク１０をハンドル９の前部に装着したとき開く弁装置１９が設けられている。また、上記遮熱板６に上記水タンク１０の流出孔１８と連通する水通路２０を有する導水枠２１が設けられ、この導水枠２１の後部に上記気化室３に臨ませた滴下ノズル２２が設けられ、」（ている。）（第２頁右下欄第１８行〜第３頁右上欄第５行）
　
　甲第２号証には、スチームアイロンに関して、以下の事項が記載されているものと認める。
（５）第３頁説明図の欄の中段には、ハンドル前止めネジ、ランプカバーＳ、遮熱カバー止めネジが引き出し線で示したアイロンの各部品を指したものを図示している。
（６）「遮熱カバーと遮熱板の間から覗きながら遮熱板上に遮熱カバーをセットし、遮熱カバー止めネジ（３本）とハンドル前止め不ジ（２本）で締めつける。」（第４頁の修理要領の欄（６））
（７）第４頁説明図の中段には、調節板ガイド穴、ハンドル前止めネジ、滴下操作棒ガイド穴、遮熱カバー止めネジ、調節ネジ接合穴が引き出し線でアイロンの各部品を指したものが示されていると共に、異議申立人が遮熱カバー、通水継手、遮熱板、ベースが赤字の引き出し線で指したアイロンを指したものを図示している。
（８）第４頁説明図の下段には、ロッド組立．通水継手止め不ジ、切換ロッド、接合スプリング、通水継手パッキン、ニードルバルブ、バルブＯリング、ガイド穴、通水継手蓋、遮熱板止めネジが引き出し線でアイロンの各部品を指したものを示していると共に、異議申立人が遮熱板、ベースが赤字の引き出し線で指したアイロンを図示している。
（９）「（３）遮熱板と、通水継手蓋の２ヶのガイド穴を合せ、上から通水継手パッキンを重ねて通水継手の下側突起をガイド穴に合せて通水継手止めネジ（２本）を締める。（４）ロッド組立を通水継手の上に重ねてセットして通水継手止めネジ（２本）を締める。（５）遮熱板を遮熱板止め（３本）でベース組立に締付ける。」（第５頁修理要領の欄の組立の項）
（１０）第６頁の分解図において、通水継手止め不ジＭ４×１６、通水継手セット、タンク組立、遮熱カバー、遮熱板止めネジφ４×１８、遮熱板、ベース組立が引き出し線でアイロンの分解図の各部品を指したものが示していると共に、異議申立人が水タンク、通水継手、ベース、気化室蓋、気化室内に突設した固定部、発熱体が赤字の引き出し線で指したアイロンの分解図を図示している。
　
　甲第３号証には、１２頁右下段にＴＡ−７３１Ｓ（Ｗ）・（Ｐ）・（Ｒ）・（Ｎ）・（Ｋ）標準価格１２０００円のスチームアイロンが図示され、「アイロンは十月十六日には業界初の充電・交流両用のコードレスアイロン「ＴＡ−９０００Ｓ」（一万円）を発売、また九月十六日には「ＴＡ−７３１Ｓ」（一万二千円）十月十六日には「ＴＡ−７３０Ｓ」（一万円）を発売する」と記載されている。
　
エ．対比・判断
　本件発明と甲第１号証に記載された発明を対比すると、後者の「ヒータ２」、「ベース１」、「気化室３」、「スチームカバー５」、「遮熱カバー７」、「水タンク１０」、「導水枠２１」、「遮熱板６」は、それぞれ前者の「ヒータ」、「ベース」、「気化室」、「気化室蓋」、「カバー」、「水タンク」、「導水体」、「固定板」に相当するものと認められるから、
　両者は、
「ヒータによって加熱されるベースと、前記ベースに設けられた気化室と、前記気化室の上面側を覆う気化室蓋と、前記ベースの上面側を覆うカバーと、前記カバーの上面側に配設された水タンクと、前記水タンク内の水を前記気化室へ供給する水通路を有した導水体と、前記気化室蓋の上で、前記導水体を前記ベース上に保持する固定板とを具備したスチームアイロン」の点で一致しており、，
　前者が「固定板は、ヒータの内側領域において気化室内に底部から突設し、かつ、前記気化室へ供給された水によって冷却されるように設けた固定部に取付け」たのに対し、後者はそのような構成になっていない点で相違する。
　また、甲第２、３号証においても、「固定板は、ヒータの内側領域において気化室内に底部から突設し．かつ、前記気化室へ供給された水によって冷却されるように設けた固定部に取付け」た構成を有していない。
　そして、本件発明は、上記構成を有することにより、「導水体を低温に維持して安定したスチームを噴出させることができる」という明細書に記載の効果を奏するものと認められる。
　したがって、本件発明は、甲第１〜３号証に基づいて当業者が容易に発明をすることができたものとすることはできない。
　
　異議申立人は、平成１４年２月２０日付けの上申書において、先行文献１（特開平４‐３６１８００号公報）、先行文献２（実公平２‐４３３５８号公報）を提出し、（１）先行文献１におけるねじ穴６（固定部）は、「前記気化室へ供給された水によって冷却されるように設けた」位置にあり、請求項１の記載の発明は、依然として取り消されるべきものである旨、及び
（２）先行文献２には、第２図において、ヒータ２上のスチーム通路に相当する部分に、気化室３を特定する引き出し線の始点が記載されており、したがって、気化室とスチーム通路とは別であるとする特許権者の主張は、先行文献２の記載からしても失当であるといわざるを得ない旨、それぞれ主張している。
　しかしながら、本件発明は、「気化室蓋の上で、導水体をベース上に保持する固定板を具備し、前記固定板は、ヒータの内側領域において気化室内に底部から突設し、かつ、前記気化室へ供給された水によって冷却されるように設けた固定部に取付け」た構成により、導水体を低温に維持するようにしたものであるのに対し、先行文献１のものは、本件発明の「導水体」に相当する「水滴ノズル１２」又は「コップ形状のシール部材１５」が、本件発明の「固定部」に相当する「ねじ穴６」と熱伝達ができるように接続されているとは認められない（ボルト５（本件発明の固定部）は下方壁２２（本件発明の固定板）とは熱伝達ができるようにはなっていないし、下方壁２２（本件発明の固定板）とシール部材１５及び水滴供給ノズル１２（本件発明の導水体）とは離れている。）から、本件発明と先行文献１のものとは、基本的構成及び課題が異なるので、導水体を低温に維持するとの課題の下に先行文献１を上記甲号各証に適用すること自体、当業者といえども容易に想到できるものとは認められない。
　また、上記（２）において、訂正請求後の特許請求の範囲の請求項１には、気化室内に固定部を設けた領域について「ヒータの内側領域」と特定しているところから、「ヒータの内側領域」と「ヒータ上のスチーム通路」とは明確に区別しうるものであり、ヒータ上のスチーム通路は本件発明の固定部を設ける領域の対象外となっている。
　したがって、異議申立人の上記主張は、採用できない。
　
〔４〕むすび
　以上のとおりであるから、特許異議申立ての理由及び証拠によっては、本件発明に係る特許を取り消すことができない。
　また、他に本件発明に係る特許を取り消すべき理由を発見しない。
　よって、結論のとおり決定する。
【異議決定日】
平成１４年４月１７日（２００２．４．１７）
【訂正の要旨】
　特許権者が求めている訂正の内容は、以下のａ〜ｃのとおりである。
　ａ特許請求の範囲に記載される「・・・導水体と、前記導水体を前記ベース上に保持する固定板とを具備し、前記固定板を前記気化室内に突設した固定部に取付けたスチームアイロン。」を「・・・導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたスチームアイロン。」と訂正する。
　ｂ発明の詳細な説明の段落【０００８】中「・・・導水体と、前記導水体を前記ベース上に保持する固定板とを具備し、前記固定板を前記気化室内に突設した固定部に取付けたものである。」を「・・・導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたものである。」と訂正する。
　ｃ発明の詳細な説明の段落【００２８】中「・・・導水体と、前記導水体を前記ベース上に保持する固定板とを具備し、前記固定板を前記気化室内に突設した固定部に取付けたから、導水体を低温に維持して安定したスチームを噴出させることができる。」を「・・・導水体と、前記気化室蓋の上で、前記導水体を前記ベース上に保持する固定板とを具備し、前記固定板は、前記ヒータの内側領域において前記気化室内に底部から突設し、かつ、前記気化室へ供給された水によって冷却されるように設けた固定部に取付けたから、導水体を低温に維持して安定したスチームを噴出させることができる。」と訂正する。
（５４）【発明の名称】
スチームアイロン
（５７）【特許請求の範囲】
　【請求項１】　ヒータによって加熱されるベースと、前記ベースに設けられた気化室と、前記気化室の上面側を覆う気化室蓋と、前記ベースの上面側を覆うカバーと、前記カバーの上面側に配設された水タンクと、前記水タンク内の水を前記気化室へ供給する水通路を有した導水体と、
前記気化室蓋の上で、
は、前記ヒータの内側領域において
底部から
、かつ、前記気化室へ供給された水によって冷却されるように設けた
　【請求項２】　導水体の上面側をノズル部を形成したパッキングで覆って水通路を形成した請求項１記載のスチームアイロン。
　【請求項３】　パッキングの上面にカバーの外底面を対接させた請求項２記載のスチームアイロン。
【発明の詳細な説明】
　【０００１】
　【産業上の利用分野】
　本発明は、衣類などのしわ伸ばしを行うスチームアイロンに関するものである。
　【０００２】
　【従来の技術】
　従来、この種のスチームアイロンは図４に示すような構成になっていた。すなわち、ヒータ１を埋設したベース２に気化室３を形成するとともに、前記ベース２の上方に配置した水タンク４内の水は、この水タンク４とベース２の間に配置された導水体５を通して前記気化室３へ供給されるようになっている。前記水タンク４の底部には弁装置６により手動で開閉されるノズル７が設けられており、ゴムカバー８によって前記導水体５と連結して水路を形成している。
　【０００３】
　一方、この導水体５には、ベース２に設けられた熱応動部材９によって開閉される熱応動弁装置１０が設けられ、気化室３が水の気化適性温度以下のときは、前記熱応動弁装置１０によって導水体５を遮断し、手動で弁装置６が開かれた場合でも水タンク４内の水が気化室３へ供給されないようになっていた。
　【０００４】
　【発明が解決しようとする課題】
　しかし、このような従来の構成では、導水体５をベース２上に保持する固定板１１がねじ１２により気化室３外でベース２に取付けられているため、高温に加熱されるベース２の熱によって固定板１１が過熱され、導水体５内を通過する水の温度が上昇して水路内に気泡が発生すると、水の流通が阻害されて安定したスチームの噴出が得られないという問題があった。
　【０００５】
　また、ベース２上に取付けられた導水体５と水タンク４に取付けられたノズル７を、ゴムカバー８で連結して水路を構成しているため、アイロン使用時にベース２が高温に加熱されると、ベース２から固定板１１にその熱が伝達されて導水体５が過熱され、変形やそり等が生じて前記ノズル７とゴムカバー８との接続状態が変化してシール性能が低下するという問題があった。
　【０００６】
　さらに、導水体５とゴムカバー８を重設した上方にノズル５を位置させているため、水タンク４の最底面、すなわち、ノズル７の最上面はベース２の上面より大きく上にあげる必要がある。その結果、水タンク４に入る水量が少なくなって使用中に水を注ぎ足す手間が発生したり、水タンク４の水量を多くするためにアイロン本体の形状が大きくなり、使い勝手が悪くなるという問題があった。
　【０００７】
　そこで、本発明は、導水体の過熱を防止して安定したスチームを噴出させることができるスチームアイロンを得ることを第１の目的としている。第２の目的は水タンクと気化室の連結部のシール性能を向上することである。また、第３の目的は導水体の冷却効果を高めることである。
　【０００８】
　【課題を解決するための手段】
　そして、前記第１の目的を達成するために本発明のスチームアイロンは、ヒータによって加熱されるベースと、前記ベースに設けられた気化室と、前記気化室の上面側を覆う気化室蓋と、前記ベースの上面側を覆うカバーと、前記カバーの上面側に配設された水タンクと、前記水タンク内の水を前記気化室へ供給する水通路を有した導水体と、
前記気化室蓋の上で、
は、前記ヒータの内側領域において
底部から
、かつ、前記気化室へ供給された水によって冷却されるように設けた
　【０００９】
　また、第２の目的を達成するために本発明のスチームアイロンは、導水体の上面側をノズル部を形成したパッキングで覆って水通路を形成したものである。
　【００１０】
　また、第３の目的を達成するために本発明のスチームアイロンは、パッキングの上面にカバーの外底面を対接させたものである。
　【００１１】
　【作用】
　本発明のスチームアイロンは、上記構成により、気化室内に設けられた固定部は気化室へ供給された水によって冷却され、気化室外のベースの部位より低温に維持されることから、この固定部からの熱伝導による固定板の過熱を防止することができるようになるのである。したがって、この固定板によって保持されている導水体の温度も低温に保たれるのである。
　【００１２】
　また、導水体の上面側をノズル部を形成したパッキングで覆って水通路を形成したことにより、導水体にノズル部を一体的に設けることができ、導水体とノズル部の水密的結合部をなくすことができるとともに、ベースと水タンクとの距離を小さくすることができるようになるのである。
　【００１３】
　さらに、パッキングの上面にカバーの外底面を対接させたことにより、水タンク内に貯えられている水によりパッキングを介して水通路内の水の冷却効果を高めることができるようになるのである。
　【００１４】
　【実施例】
　以下、本発明の一実施例を添付図面にもとづいて説明する。図１〜図３において、１３はヒータ１４を埋設したベースで気化室１５を形成しており、その上面を気化室蓋１６で覆っている。１７は前記ベース１３の上面側を覆うカバー、１８はこのカバー１７の上面側に水密的に取付けた把手で、前記カバー１７とで水タンク１９を構成しており、その上部に握り部を設けている。
　【００１５】
　２１は前記水タンク１９内の水を気化室１５に供給する導水体で、その出口側には気化室１５内に開口した水路２２を設けている。２３はこの導水体２１をベース１３上に保持する固定板で、前記気化室１５の底部から気化室蓋１６を貫通して突設した固定部２４にねじ２５により取付けている。
　【００１６】
　２６は前記導水体２１の上面側に取付けたノズル部２７を有するパッキングで、前記導水体２１とで水通路２８を形成しており、前記ノズル部２７の水の流出側には切欠き部２９を設けている。３０は前記ノズル部２７を開閉して気化室１５への給水を制御する上下動自在な開閉体で、その上端に連係させたスチーム釦３１の押圧操作により開閉体３０を操作する。
　【００１７】
　３２は前記ベース１３に配設したバイメタルからなる熱応動部材で、気化室１５が水の気化適正温度以下のときはベース１３側に位置し、水の気化適正温度に達すると上方へ反転動作する。３３はこの熱応動部材３２の上方への変位に連動して連結棒３４をてこ作用により上昇させて水通路２８を開く連動板である。
　【００１８】
　次に、この一実施例の構成における作用を説明する。まず、ヒータ１４に通電してベース１３が加熱され、気化室１５が水の気化適正温度に到達すると、熱応動部材３２が上方へ反転動作し、これに連動して連動板３３の一端がてこ作用により上昇して連結棒３４を押上げ水通路２８を開く。
　【００１９】
　ここで、スチーム釦３１の押圧操作により開閉体３０を操作してノズル部２７を開くと、水タンク１９内に貯えられた水はノズル部２７の流出側に設けられた切欠き部２９から水通路２８内に入り、導水体２１の出口側に設けた水路２２を経て気化室１５内に供給される。
　【００２０】
　気化室１５に供給された水は瞬時に気化されてスチーム穴３５から外部へ噴出される。このとき、気化室１５は水を気化することによって温度が低下し、気化室１５内に形成した固定部２４も水やスチームに接触して冷やされ、気化室１５とともにその温度が低下する。
　【００２１】
　したがって、この固定部２４を気化室蓋１６から突出させて固定している固定板２３への熱伝導も抑えられ、固定板２３の過熱を防止してこれに保持されている導水体２１を低温に維持することができる。その結果、前記導水体２１を通して気化室１５へ供給される水が沸騰して気泡を発生させることもなく、水の流通を円滑にしてスチームを安定して噴出させることができる。
　【００２２】
　そして、ベース１３が水の気化適正温度以下に低下した場合や、使用後水タンク１９内に水が残っている状態でベース１３を下向きにして放置された場合でも、熱応動部材３２が下方へ反転動作して水通路２８を遮断するため、ノズル部２７が開放された状態であっても気化室１５への水の流出を阻止することができるようになっている。
　【００２３】
　また、前記ノズル部２７は、前記導水体２１とで水通路２８を形成したパッキング２６と一体に形成されるとともに、水の流出側には切欠き部２９を設けているため、ノズル部２７を通過した水はこの切欠き部２９から側方へ流出させることができるようになっている。
　【００２４】
　したがって、導水体２１の入口側に設けたノズル部２７と、出口側に設けた水路２２との上下方向の高さを最少限に抑えることができ、水タンク１９の水量を決定するカバー１７の底面を低くしてベース１３の上面に近づけることができるため、アイロンの形状を大型化することなく水タンク１９に多量の水を貯えることができるようになっている。
　【００２５】
　また、前記ノズル部２７は、導水体２１の外周に嵌合させて水密結合させたパッキング２６によって形成し、かつ、このパッキング２６の上面にカバー１７の外底面を当接させて押圧した構成であり、同パッキング２６の導水体２１への取着を確実にするとともに、前記カバー１７によりパッキング２６に対して所定の押圧力を加えるだけで、水タンク１９と気化室１５の水密結合を確実にすることができるものである。
　【００２６】
　しかも、前記パッキング２６の上面は水タンク１９内の水よって低温に維持されているカバー１７と対接しているため、パッキング２６およびこのパッキング２６によって構成されている水通路２８も低温に保つことができるようになる。したがって、水通路２８を通過する水の冷却効果を高めることができ、水通路２８内での気胞の発生を防止するものである。
　【００２７】
　なお、本実施例は一般的なアイロンで説明したが、置台にアイロン本体を載置して加熱するコードレスアイロンにおいても同様の効果を得られるとともに、水タンクをアイロン本体に対して着脱自在にしたスチームアイロンにおいても同様の効果を得られるものである。
　【００２８】
　【発明の効果】
　以上のように本発明のスチームアイロンは、ヒータによって加熱されるベースと、前記ベースに設けられた気化室と、前記気化室の上面側を覆う気化室蓋と、前記ベースの上面側を覆うカバーと、前記カバーの上面側に配設された水タンクと、前記水タンク内の水を前記気化室へ供給する水通路を有した導水体と、
前記気化室蓋の上で、
は、前記ヒータの内側領域において
底部から
、かつ、前記気化室へ供給された水によって冷却されるように設けた
　【００２９】
　また、導水体の上面側をノズル部を形成したパッキングで覆って水通路を形成したから、水タンクと気化室の水密結合を確実にすることができるとともに、高さを低くしてアイロンの形状を大型化することなく水タンクに容量を増加させることができる。
　【００３０】
　また、パッキングの上面にカバーの外底面を対接させたから、水通路を通過する水の冷却効果を高めて安定したスチームを噴出させることができる。
【図面の簡単な説明】
　【図１】
　本発明の一実施例を示したスチームアイロンの要部断面図
　【図２】
　同スチームアイロンのベースの要部上面図
　【図３】
　同スチームアイロンのベースの気化室蓋を外した上面図
　【図４】
　従来のスチームアイロンの要部断面図
　【符号の説明】
　１３　ベース
　１４　ヒータ
　１５　気化室
　１６　気化室蓋
　１７　カバー
　１８　把手
　１９　水タンク
　２０　握り部
　２１　導水体
　２３　固定板